(57)【要約】【課題】固定基台を樹脂で形成させた場合でも、金属製の固定基台の場合と同様に、軒樋を軒先に近接させて位置できるようにした雨樋吊具を提供する。【解決手段】軒先Ｎの前面に固定する縦板状の基台部４の上端前面から略水平前方にアーム部５を突設した固定基台１と、軒樋３の上方開口縁を上方から引っ掛けて軒樋３を吊持する軒樋吊持体２とで主体を構成し、アーム部５の突出先端で軒樋吊持体２を前後方向にスライド自在に吊持し、固定基台１に対して軒樋吊持体２の位置を前後方向に自在に設定可能にした雨樋吊具である。後方にスライドした軒樋吊持体２の後端部が収納される凹所３１を基台部４の前面に後方に向けて凹設する。【選択図】        図１
2004232241.tif 000002
【特許請求の範囲】
【請求項１】
軒先の前面に固定する縦板状の基台部の上端前面から略水平前方にアーム部を突設した固定基台と、軒樋の上方開口縁を上方から引っ掛けて軒樋を吊持する軒樋吊持体とで主体を構成し、アーム部の突出先端で軒樋吊持体を前後方向にスライド自在に吊持し、固定基台に対して軒樋吊持体の位置を前後方向に自在に設定可能にした雨樋吊具において、後方にスライドした軒樋吊持体の後端部が収納される凹所を基台部の前面に後方に向けて凹設したことを特徴とする雨樋吊具。
【請求項２】
凹所を、基台部を前後に貫通する貫通切欠で構成し、貫通切欠を介して対向する基台部の対向縁間に架橋部を架設したことを特徴とする請求項１記載の雨樋吊具。
【請求項３】
凹所を、基台部の前面から後方に凹没させた有底溝で構成したことを特徴とする請求項１記載の雨樋吊具。
【発明の詳細な説明】
【０００１】
【発明の属する技術分野】
本発明は、軒樋を吊持する軒樋吊持体を軒先に固定した固定基台に対して前後方向に可変に連結し、軒樋の配置位置を前後方向に自在に設定できるようにした雨樋吊具に関する発明である。
【０００２】
【従来の技術】
従来から、軒先Ｎに固定する固定基台１と軒樋３を吊持する軒樋吊持体２とで主体を構成し、軒樋吊持体２を固定基台１にスライド自在に連結し、軒先Ｎに固定基台１を固定した後に軒樋３の配置位置を自在に設定できるようにした雨樋吊具には、たとえば図６に示すものがある（たとえば、特許文献１，２参照）。この雨樋吊具は、固定基台１に軒樋吊持体２が上下にスライド自在に連結されており、軒樋３の配置位置を上下方向に適宜設定できるようにされている。つまり、軒樋３の上方開口から内部に流れ込む屋根を流れ落ちる雨水は、屋根の勾配や屋根面の長さによって流れの勢いや軒樋３への流入角度が異なるものであるが、上記雨樋吊具にて吊持された軒樋３は施工現場で上下方向の適宜位置に位置設定が行われ、確実に雨水を軒樋３に流れ込ませるようにできるのである。しかしながら、軒樋３の上下の配置位置を所々で異ならせるように設定すると、あたかも所々で軒先Ｎから軒樋３が外れてしまって垂れ下がっているような外観を呈することとなり、見栄えが悪くなるといった問題があった。
【０００３】
しかして、屋根を流れ落ちる雨水を確実に軒樋３内に流入させつつも良好な見栄えを維持させることに鑑み、図７乃至９に示すような、軒先Ｎに固定した固定基台１に対し、軒樋吊持体２を前後方向に可変に連結できるようにした雨樋吊具が開発された。詳しくは、固定基台１は軒先Ｎに沿わせて固定される縦板状の基台部４からアーム部５を屋外側に突設して形成され、アーム部５の先端にビスなどの固着具１２を設けると共に、軒樋吊持体２に形成した前後に長い長孔２８に上記固着具１２をスライド自在に挿通し、この固着具１２によって軒樋吊持体２とアーム部５とを連結したことで、固定基台１に対して軒樋吊持体２を前後方向の任意位置に位置できるようにされている。つまり、この雨樋吊具によると、屋根を流れ落ちる雨水が流入され得る位置に軒樋３を適宜配置できると共に、先の図６の雨樋吊具のように軒先Ｎから軒樋３が垂れ下がっているような外観を呈することが回避できるので、雨水を確実に軒樋３内に流入させつつ良好な見栄えを現出させ得るのである。なお、上記雨樋吊具には、固定基台１が金属製のもの（図７）、軒樋吊持体２同様に固定基台１が樹脂製のもの（図８，９）がある。
【０００４】
【特許文献１】
特開平９−２８７２５６号公報
【特許文献２】
実開平６−８５８３３号公報
【０００５】
【発明が解決しようとする課題】
ところで、上記固定基台１は、軒樋３を吊持した軒樋吊持体２を支持して軒先Ｎに固定する部材であるから高い強度が必要とされるものである。図７に示す金属製の固定基台１では、上記強度の問題はクリアできるが、長い時間雨水に触れることで錆びなどを生じさせて見栄えを低下させるといった恐れがある。一方、図８，９に示す樹脂製の固定基台１では、錆びなどを生じさせて見栄えを低下させる恐れは無いものの、上記強度の問題をクリアするために特に基台部４の厚み寸法を厚く形成しなければならない。このように樹脂製の基台部４は、材料の強度上の問題から金属製の基台部４に比べて厚く形成されるのであるが、これによると、金属製の基台部４に比べて増した厚みの分、軒樋吊持体２、ひいては軒樋３を軒先Ｎに近づけて位置できなくなる問題が生じてしまうのである（Ａ＜Ｂ）。
【０００６】
本発明は上記の点に鑑みてなされたものであり、固定基台を樹脂で形成させた場合でも、金属製の固定基台の場合と同様に、軒樋を軒先に近接させて位置できるようにした雨樋吊具を提供することを課題とするものである。
【０００７】
【課題を解決するための手段】
上記課題を解決するために本発明に係る雨樋吊具は、軒先Ｎの前面に固定する縦板状の基台部４の上端前面から略水平前方にアーム部５を突設した固定基台１と、軒樋３の上方開口縁を上方から引っ掛けて軒樋３を吊持する軒樋吊持体２とで主体を構成し、アーム部５の突出先端で軒樋吊持体２を前後方向にスライド自在に吊持し、固定基台１に対して軒樋吊持体２の位置を前後方向に自在に設定可能にした雨樋吊具において、後方にスライドした軒樋吊持体２の後端部が収納される凹所３１を基台部４の前面に後方に向けて凹設したことを特徴とする。これによると、軒樋吊持体２を軒樋３に近づけるように後方にスライドさせたときには、軒樋吊持体２の後端部が基台部４の前面に凹設された凹所３１内に収納されるようになることから、基台部４が樹脂で形成されてこの基台部４の前後厚が強度確保の為に厚く形成された場合でも、基台部４の厚みに関係なく凹所３１の凹没深さに応じて軒樋吊持体２を軒樋３に近接させるようにできるのであり、軒樋吊持体２、ひいては軒樋３を軒先Ｎに近接させて配置できるのである。
【０００８】
また、上記凹所３１を、基台部４を前後に貫通する貫通切欠３２で構成し、貫通切欠３２を介して対向する基台部４の対向縁間に架橋部３３を架設したことも好ましい。これによると、凹所３１を構成する貫通切欠３２によって基台部４が分割されて基台部４の強度が低下してしまっても、貫通切欠３２を介して対向する基台部４の対向縁間に架橋部３３を架設したことで基台部４の強度を補強することができるのである。
【０００９】
また、上記凹所３１を、基台部４の前面から後方に凹没させた有底溝３４で構成したことも好ましい。これによると、基台部４の凹所３１の対向縁は凹所３１を構成する有底溝３４の溝底部分で連結されているから、凹所３１を設けたことに起因する基台部４の強度低下を回避できるのである。
【００１０】
【発明の実施の形態】
以下、本発明を添付図面に示す実施形態に基づいて説明する。
【００１１】
図１乃至図３に本発明の実施の形態の例を示す。雨樋吊具は、大きく軒先Ｎに固定させる固定基台１と、この固定基台１に支持されて軒樋３を吊持する軒樋吊持体２とで構成されている。
【００１２】
上記固定基台１は、図２に示すように、軒先Ｎに沿わせて固定される基台部４と、この基台部４の上端前面から略水平前方に突出されるアーム部５とで構成されている。基台部４は前面視矩形状の縦板状部位であり、四隅のコーナ部分にはそれぞれ前後に貫通して軒先に打入するビスや釘などの固定具（図示せず）を挿入させる固定用孔６が形成されている。なお、本例の基台部４は樹脂製であって強度向上の為にある程度の前後厚みを有するように形成されている。上記基台部４の前面における左右の中央部位で且つ上端部位からはアーム部５が略水平且つ前方に突設されている。このアーム部５は突出基部が固定端で突出先端が自由端の片持ち梁状の部位であり、その縦断面は下方に開口した逆Ｕ字状断面に形成されている。つまりアーム部５は略水平な天面部７の左右両端から垂下面部８が下方に垂下されて構成されている。ここで天面部７と１対の垂下面部８とで囲まれて下方に開口した溝状部位を摺動溝９と称する。なお、このアーム部５の先端部分には下方に一段低くされた段部１０が形成されており、この段部１０には上下に貫通する貫通孔１１が形成されている。上記貫通孔１１の内面には雌ねじが刻設されており、軒樋吊持体２を連結するビスなどの固着具１２が螺着されるようにされている。また、このアーム部５は前方に行く程その幅寸法は小さくされており、曲げ応力が局所に集中してかかることが回避されていて剛性強度の向上が図られている。なお、具体的に本例の固定基台１は製造性を良好にすべく樹脂の一体成形品で構成されている。
【００１３】
ここで、軒樋吊持体２が吊持する軒樋３は、図１に示すように、底壁部１３の前端から前壁部１４を立設すると共に底壁部１３の後端から後壁部１５を立設した縦断面Ｕ字状の長尺部材である。前壁部１４の上端には前耳部１６が後方に突出して形成されており、後壁部１５の上端には後耳部１７が前方に突出して形成されている。ここで、前壁部１４の内面と前耳部１６との間には後述する軒樋吊持体２の引掛け突起２２が挿入される挿入隙間１８が下方に開口して形成されている。
【００１４】
軒樋吊持体２は、図３に示すように、軒樋３の前後に架け渡される長尺部材の主体部１９を有し、この主体部１９の前端に軒樋３の前端部分を吊持する前吊持部２０を形成すると共に主体部１９の後端に軒樋３の後端部分を吊持する後吊持部２１を形成して構成されている。具体的に、前吊持部２０は、主体部１９の前端から上方に突出した引掛け突起２２と、主体部１９の前端から下方に突出した押え突片２３とで構成されており、押え突片２３を軒樋３の前壁部１４の後面（内面）に押し当て、引掛け突起２２を軒樋３の挿入隙間１８に下方から挿入させることで、前吊持部２０が軒樋３の前端部分を吊持するようになっている（図１参照）。また、後吊持部２１は、主体部１９の後端から前後に間隔を隔てて一対の垂下部２４，２５を垂下し、前側の垂下部２４の後端に後方に突出する係止突起２６を形成すると共に、後側の垂下部２５の下端に前方に突出する押圧突起２７を形成することで構成されており、前後一対の垂下部２４，２５の間に軒樋３の後壁部１５を位置させ、後側の垂下部２５の押圧突起２７で軒樋３の後壁部１５の後面を前方に押圧すると共に、前側の垂下部２４の係止突起２６に軒樋３の後耳部１７を載せて係止させることで、後吊持部２１が軒樋３の後端部分を吊持するようになっている（図１参照）。詳しくは、軒樋吊持体２の後端部を構成するのは後側の垂下部２５であるが、この後側の垂下部２５は水平断面凸状の垂直板状に形成されている。
【００１５】
軒樋吊持体２は固定基台１のアーム部５に吊持されるのであるが、このときには軒樋吊持体２は固定基台１に対して前後方向の任意位置に位置決め可能にされている。詳しくは、図３（ｂ）に示すように、軒樋吊持体２の主体部１９には上下に貫通すると共に前後に長い長孔２８が形成され、長孔２８の前後の任意位置にアーム部５の貫通孔１１を合わせて連通状態にし、この連通した長孔２８と貫通孔１１とにビスなどの固着具１２を挿通して締結させることで、軒樋吊持体２が前後方向に可変に固定基台１に連結されるようにされている。なお、長孔２８が形成される部位に対応した主体部１９の側面には目盛り２９が刻設され、固定基台１に対する軒樋吊持体２の位置合わせ作業を容易に行い得るようにされている。また、軒樋吊持体２を固定基台１に連結させた状態では、軒樋吊持体２の主体部１９の上方に突出した上方突部３０がアーム部５の摺動溝９内に収まるようにされている。この上方突部３０によると、固定基台１に対して前方に軒樋吊持体２をスライドさせたとき、ある一定の位置で上方突部３０が段部１０に当たって軒樋吊持体２がそれ以上前方にスライドできないように規制され、軒樋吊持体２の固定基台１からの抜け落ちが防止されている。
【００１６】
ここで、本例の基台部４は、図８，９の従来技術同様、樹脂で成形されているので、強度向上の為にある程度の厚みをもたせて形成されているのであるが、下記の構成を有しているために、基台部４の厚み分、軒樋３を軒先Ｎに近接させて位置できないといった従来技術の問題が解決されている。つまり、本例の基台部４の前面には後方にスライドした軒樋吊持体２の後端部が収納される凹所３１が後方に向けて凹設されており、これによって、軒樋吊持体２を軒樋３に近づけるように後方にスライドさせたときには、軒樋吊持体２の後端部が基台部４の前面に凹設された凹所３１内に収納され、軒樋吊持体２を軒樋３に近接させるようにできるのである。しかして、基台部４が樹脂で形成されてこの基台部４の前後厚が強度確保の為に厚く形成された場合でも、基台部４の厚みに関係なく凹所３１の凹没深さに応じて軒樋吊持体２の後端部を凹所３１内に挿入でき、軒樋吊持体２、ひいては軒樋３の軒先Ｎへの近接配置を可能にしているのである。
【００１７】
具体的に、本例の凹所３１は、具体的には左右の中央部分にアーム部５を残して形成された貫通切欠３２で構成されている。この貫通切欠３２は基台部４を左右に分け隔てるように基台部４の前後に貫通すると共に下方にも開口する切欠である。しかして、本例では、軒樋吊持体２を最も後方にスライドさせたときには、軒樋吊持体２の後側の垂下部２５が貫通切欠３２内に挿入され、軒先Ｎに直接近接した位置にも軒樋３を配置できるようにされている（図１）。
【００１８】
以下、本発明の実施の形態の他例を列挙する。これらの例は、先の実施の形態の例と比較して固定基台１に形成する凹所３１の形状を違えたものであるから、先の実施の形態の例と同様部位には同符合を付して説明を省き、異なる部位につき説明をしていく。
【００１９】
図４の例における凹所３１は、先の実施の形態の例同様、基台部４を前後に貫通すると共に下方に開口せる貫通切欠３２で構成しているが、貫通切欠３２を介して対向する基台部４の対向縁間には架橋部３３を架設している。具体的には貫通切欠３２の下方開口の開口縁間に架橋部３３を形成している。つまり、貫通切欠３２によって基台部４が分割されて基台部４の強度が低下してしまっても、貫通切欠３２を介して対向する基台部４の対向縁間に架橋部３３を架設したことで基台部４の強度が補強されているのである。特に、本例では基台部４の下端部位に架橋部３３を形成しているために、基台部４の剛性強度が有効に向上されている。つまり、基台部４は、アーム部５が突設される上端部位には貫通切欠３２が設けられないために上端程剛性強度が強くなっており、基台部４の下端部位では剛性強度が最も弱くなっている。しかして、基台部４の下端部位に架橋部３３を形成したことで、剛性強度が弱い基台部４の下端部分を架橋部３３にて一体形状にし、基台部４の剛性を有効に向上させているのである。
【００２０】
図５の例における凹所３１は、基台部４の前面から後方に凹没させた有底溝３４で構成している。これによると、基台部４に凹所３１を形成させてこの凹所３１によって基台部４が左右に分け隔てられるようにされても、凹所３１を構成する有底溝３４の溝底部分で基台部４の凹所３１の対向縁全体が連結されているから、凹所３１を設けたことによる基台部４の強度低下が有効に回避されているのである。更に言うと、上記有底溝３４は軒樋吊持体２の後端部の凸形状に対応する凹形状とされており、つまり有底溝３４の溝底部分を極力残すように形成され、凹所３１を設けたことに起因する基台部４の強度低下を極力防止する構造とされている。
【００２１】
【発明の効果】
上記のように本発明の請求項１記載の発明にあっては、叙述したように、後方にスライドした軒樋吊持体の後端部が収納される凹所を基台部の前面に後方に向けて凹設したので、軒樋吊持体を軒樋に近づけるように後方にスライドさせたときには、軒樋吊持体の後端部が基台部の前面に凹設された凹所内に収納されるようになり、つまり、基台部が樹脂で形成されてこの基台部の前後厚が強度確保の為に厚く形成された場合でも、基台部の厚みに関係なく凹所の凹没深さに応じて軒樋吊持体を軒樋に近接させるようにできるのであり、軒樋吊持体、ひいては軒樋を軒先に近接させて配置できるのである。
【００２２】
また、請求項２記載の発明にあっては、請求項１の効果に加え、上記凹所を、基台部を前後に貫通する貫通切欠で構成し、貫通切欠を介して対向する基台部の対向縁間に架橋部を架設したので、凹所を構成する貫通切欠によって基台部が分割されて基台部の強度が低下してしまっても、貫通切欠を介して対向する基台部の対向縁間に架設した架橋部によって基台部を一体形状にすることができ、基台部の強度を補強することができるのである。
【００２３】
また、請求項３記載の発明にあっては、請求項１の効果に加え、上記凹所を、基台部の前面から後方に凹没させた有底溝で構成したので、基台部の凹所の対向縁は凹所を構成する有底溝の溝底部分で連結されて基台部が一体形状となり、凹所を設けたことに起因する基台部の強度低下を回避できるのである。
【図面の簡単な説明】
【図１】本発明の実施の形態の例の雨樋吊具を介して軒樋を軒先に配置した状態を示す側面断面図である。
【図２】同上の固定基台の斜視図である。
【図３】同上の軒樋吊持体であり、（ａ）は正面図であり、（ｂ）は上面図であり、（ｃ）は下面図であり、（ｄ）は（ｂ）のＣ−Ｃ線断面図であり、（ｅ）は（ｂ）のＤ−Ｄ線断面図である。
【図４】本発明の実施の形態の他例を示す固定基台の斜視図である。
【図５】本発明の実施の形態の更に他例を示す固定基台の斜視図である。
【図６】従来技術の例を示す側面断面図である。
【図７】従来技術の他例を示す側面断面図である。
【図８】従来技術の更に他例を示す側面断面図である。
【図９】同上の固定基台の斜視図である。
【符号の説明】
１  固定基台
２  軒樋吊持体
３  軒樋
４  基台部
５  アーム部
３１  凹所
３２  貫通切欠
３３  架橋部
３４  有底溝
Ｎ  軒先
【図１】
2004232241.tif 000003
【図２】
2004232241.tif 000004
【図３】
2004232241.tif 000005
【図４】
2004232241.tif 000006
【図５】
2004232241.tif 000007
【図６】
2004232241.tif 000008
【図７】
2004232241.tif 000009
【図８】
2004232241.tif 000010
【図９】
2004232241.tif 000011